(57)【特許請求の範囲】
【請求項１】
恒温槽付水晶発振器を備えた発振器であって、
電流に応じて加熱又は冷却を行うペルチェ素子と、
基板上に設けられ、前記ペルチェ素子を制御するペルチェ素子制御回路と、
前記恒温槽付水晶発振器と、前記ペルチェ素子と、前記ペルチェ素子制御回路とを密閉封入するケースとを備え、
前記ペルチェ素子が、前記恒温槽付水晶発振器と前記基板との間に挟まれて搭載され、
前記恒温槽付水晶発振器が、零温度係数点が４５℃〜５５℃の水晶振動子と、恒温槽の温度を当該水晶振動子の零温度係数点となるよう制御する温度制御回路とを備え、
前記ペルチェ素子制御回路が、前記ケース内の温度を、前記水晶振動子の零温度係数点より１０℃〜２５℃の範囲で低い温度とするよう前記ペルチェ素子の電流を制御することを特徴とする発振器。
【請求項２】
ペルチェ素子制御回路が、ケース内の温度を、２５℃〜３５℃の範囲で制御することを特徴とする請求項１記載の発振器。
【請求項３】
ペルチェ素子制御回路が、ケース内の温度を検出する温度センサを備え、検出された温度が設定された温度範囲より高い場合には、ペルチェ素子が前記ケース内を冷却するように電流を制御することを特徴とする請求項１又は２記載の発振器。
【請求項４】
ペルチェ素子制御回路が、検出された温度が予め設定された温度範囲より低い場合には、ペルチェ素子がケース内を加熱するように電流を制御することを特徴とする請求項３記載の発振器。
【請求項５】
ペルチェ素子制御回路が、設定された温度範囲及び検出温度に対応して電流を制御する制御データを記憶しており、検出温度に対応する制御データに基づいて電流を制御することを特徴とする請求項３又は４記載の発振器。
【請求項６】
ケース内を真空又は真空に近い状態とすることを特徴とする請求項１乃至５のいずれか記載の発振器。
【発明の詳細な説明】
【技術分野】
【０００１】
本発明は、発振器に係り、特にヒートサイクル耐性を向上させると共に良好な周波数温度特性が得られる発振器に関する。
【背景技術】
【０００２】
［先行技術の説明］
従来、恒温槽を備え、周囲の温度変化があっても出力周波数の変化を小さくする恒温槽付水晶発振器（ＯＣＸＯ；Oven-Controlled Crystal Oscillator）がある。
通常、ＯＣＸＯは、水晶振動子の温度変化による周波数変化が最低となる零温度係数（ＺＴＣ：Zero-Temperature Coefficient）点で動作するよう、恒温槽の温度を制御している。ＺＴＣ点（ＺＴＣ温度）では、周波数−温度特性が安定して温度が変化してもそれによる周波数変化は微小である。
【０００３】
そして、従来は、ＺＴＣ温度が、設定された使用環境温度の上限温度よりも１０℃ほど高い温度の水晶振動子を用い、当該ＺＴＣ温度付近となるよう恒温槽を制御するようになっている。
例えば、使用環境温度が−２０℃〜７０℃の場合、ＺＴＣ温度が８０℃〜９０℃の水晶振動子を使用して、恒温槽でＺＴＣ温度となるよう８０℃〜９０℃に制御している。
【０００４】
また、ＯＣＸＯでは、水晶振動子や電子部品が基板に形成された端子パターンや配線パターンに半田付けによって接続固定されている。
【０００５】
［関連技術］
尚、発振器に関する技術としては、特開２００４−４８６８６号公報「高安定圧電発振器」（東洋通信機株式会社、特許文献１）、特開２０００−１８３６４９号公報「高安定圧電発振器」（東洋通信機株式会社、特許文献２）がある。
【０００６】
特許文献１には、ＯＣＸＯのケース（第１の恒温槽）をＯＣＸＯの外側に設けられた第２の恒温槽より低い温度に設定し、ペルチェ素子で第２の恒温槽を加熱すると共に、第１の恒温槽を冷却して第２の恒温槽より低い温度となるよう制御し、第１の恒温槽の熱を第２の恒温槽に移動させる圧電発振器が記載されている。
また、特許文献２には、ＯＣＸＯの恒温槽の温度を環境温度よりも低く制御する圧電発振器が記載されている。
【先行技術文献】
【特許文献】
【０００７】
【特許文献１】特開２００４−４８６８６号公報
【特許文献２】特開２０００−１８３６４９号公報
【発明の概要】
【発明が解決しようとする課題】
【０００８】
しかしながら、従来のＯＣＸＯでは、電源オン／オフを行う度に周囲環境温度から恒温槽の制御温度までの温度変化が生じ、電源オン／オフを繰り返す使用環境においては、ヒートサイクルによって実装半田に歪が集中し、半田にクラックが生じ、長期信頼性が十分ではないという問題点があった。
【０００９】
例えば、使用環境温度が−２０℃の場合は、電源オン／オフの度に−２０℃〜９０℃の温度変化が起こり、１１０℃の温度差（ΔＴ）が生じて半田にストレスがかかりやすい。
【００１０】
尚、特許文献１には、ペルチェ素子を用いて、単に第１の恒温槽を冷やして第２の恒温槽を加熱することが記載されているが、環境温度に応じて第２の恒温槽の冷却又は加熱を行って、ＯＣＸＯの使用環境を適切に制御するものではない。
【００１１】
本発明は上記実状に鑑みて為されたもので、ヒートサイクルに伴う温度変化を低減して半田クラックの発生を抑え、長期信頼性を向上させることができると共に、安定した出力周波数を得ることができる発振器を提供することを目的とする。
【課題を解決するための手段】
【００１２】
上記従来例の問題点を解決するための本発明は、温槽付水晶発振器を備えた発振器であって、電流に応じて加熱又は冷却を行うペルチェ素子と、基板上に設けられ、ペルチェ素子を制御するペルチェ素子制御回路と、恒温槽付水晶発振器と、ペルチェ素子と、ペルチェ素子制御回路とを密閉封入するケースとを備え、ペルチェ素子が、恒温槽付水晶発振器と基板との間に挟まれて搭載され、恒温槽付水晶発振器が、零温度係数点が４５℃〜５５℃の水晶振動子と、恒温槽の温度を当該水晶振動子の零温度係数点となるよう制御する温度制御回路とを備え、ペルチェ素子制御回路が、ケース内の温度を、水晶振動子の零温度係数点より１０℃〜２５℃の範囲で低い温度とするようペルチェ素子の電流を制御することを特徴としている。
【００１３】
また、本発明は、上記発振器において、ペルチェ素子制御回路が、ケース内の温度を、２５℃〜３５℃の範囲で制御することを特徴としている。
【００１４】
また、本発明は、上記発振器において、ペルチェ素子制御回路が、ケース内の温度を検出する温度センサを備え、検出された温度が設定された温度範囲より高い場合には、ペルチェ素子が前記ケース内を冷却するように電流を制御することを特徴としている。
【００１５】
また、本発明は、上記発振器において、ペルチェ素子制御回路が、検出された温度が予め設定された温度範囲より低い場合には、ペルチェ素子がケース内を加熱するように電流を制御することを特徴としている。
【００１６】
また、本発明は、上記発振器において、ペルチェ素子制御回路が、設定された温度範囲及び検出温度に対応して電流を制御する制御データを記憶しており、検出温度に対応する制御データに基づいて電流を制御することを特徴としている。
【００１７】
また、本発明は、上記発振器において、ケース内を真空又は真空に近い状態とすることを特徴としている。
【発明の効果】
【００１８】
本発明によれば、温槽付水晶発振器を備えた発振器であって、電流に応じて加熱又は冷却を行うペルチェ素子と、基板上に設けられ、ペルチェ素子を制御するペルチェ素子制御回路と、恒温槽付水晶発振器と、ペルチェ素子と、ペルチェ素子制御回路とを密閉封入するケースとを備え、ペルチェ素子が、恒温槽付水晶発振器と基板との間に挟まれて搭載され、恒温槽付水晶発振器が、零温度係数点が４５℃〜５５℃の水晶振動子と、恒温槽の温度を当該水晶振動子の零温度係数点となるよう制御する温度制御回路とを備え、ペルチェ素子制御回路が、ケース内の温度を、水晶振動子の零温度係数点より１０℃〜２５℃の範囲で低い温度とするようペルチェ素子の電流を制御する発振器としているので、ＯＣＸＯの動作温度を低くすることにより、ヒートサイクルの温度差を低減して、実装半田にクラックを生じにくくして長期信頼性を向上させることができ、また、ＯＣＸＯの周囲に相当するケース内の温度をＯＣＸＯの目標温度より１０℃〜２５℃の範囲とすることにより、ＯＣＸＯの温度制御を効率的且つ精度良く行なって、出力周波数の温度周波数特性を良好にすることができる効果がある。
【００１９】
また、本発明によれば、ペルチェ素子制御回路が、ケース内の温度を検出する温度センサを備え、検出された温度が設定された温度範囲より高い場合には、ペルチェ素子が前記ケース内を冷却するように電流を制御する上記発振器としているので、ＯＣＸＯの周囲に相当するケース内の温度が高い場合には、ケース内を冷却してＯＣＸＯの温度制御を安定させることができる効果がある。
【００２０】
また、本発明によれば、ペルチェ素子制御回路が、検出された温度が予め設定された温度範囲より低い場合には、ペルチェ素子がケース内を加熱するように電流を制御する上記発振器としているので、ＯＣＸＯの周囲に相当するケース内の温度が低い場合には、ケース内を加熱してＯＣＸＯの温度制御を効率的に行うことができる効果がある。
【００２１】
また、本発明によれば、ペルチェ素子制御回路が、設定された温度範囲及び検出温度に対応して電流を制御する制御データを記憶しており、検出温度に対応する制御データに基づいて電流を制御する上記発振器としているので、搭載される水晶発振器に応じて制御データを書き換えることができ、零温度係数点が異なる種々の水晶振動子に適用可能とすることができる効果がある。
【００２２】
また、ケース内を真空又は真空に近い状態とする上記発振器としているので、外部環境の温度がＯＣＸＯに与える影響を小さくして、出力周波数を一層安定させることができる効果がある。
【図面の簡単な説明】
【００２３】
【図１】本発明の実施の形態に係る発振器の構成を示す概略断面説明図である。
【図２】ペルチェ素子温度制御回路基板４に搭載されたペルチェ素子制御回路の模式説明図である。
【図３】ＡＴカット水晶振動子の温度特性例を示す説明図である。
【図４】ペルチェ素子制御回路の制御部の処理を示すフローチャートである。
【発明を実施するための形態】
【００２４】
本発明の実施の形態について図面を参照しながら説明する。
［実施の形態の概要］
本発明の実施の形態に係る発振器は、密閉ケース内に、ＺＴＣ温度が４５℃〜５５℃の水晶振動子を使用したＯＣＸＯと、ケース内の温度を調節するペルチェ素子と、ペルチェ素子の制御を行うペルチェ素子制御回路を搭載した基板とを備え、ペルチェ素子がＯＣＸＯと基板との間に密着して設けられ、ＯＣＸＯがオーブンを水晶振動子のＺＴＣ温度に制御すると共に、ペルチェ素子制御回路が、ケース内の温度がＺＴＣ温度より１０℃〜２０℃程度低い２５℃〜３５℃となるようペルチェ素子を制御するものであり、ＯＣＸＯの動作温度を低くすることにより電源のオン／オフによって生じる温度差を低減して半田クラックの発生を防ぎ、耐ヒートサイクル性能を向上させることができ、また、周囲の環境温度に関わらず、ＯＣＸＯの恒温槽制御を効率的且つ精度良く行って出力周波数を一層安定させることができ、更に、温度上昇が問題となるようなデバイスや装置にも適用可能とすることができるものである。
【００２５】
［本実施の形態に係る発振器の構成：図１］
本発明の実施の形態に係る発振器の構成について図１を用いて説明する。図１は、本発明の実施の形態に係る発振器の構成を示す概略断面説明図である。
図１に示すように、本発明の実施の形態に係る発振器（本発振器）は、蓋７によって密閉された外ケース６の内部に、ＯＣＸＯ１と、ペルチェ素子３と、ペルチェ素子温度制御回路基板４とを備えたものであり、ペルチェ素子３は、ＯＣＸＯ１とペルチェ素子温度制御回路基板４との間に挟まれた状態で搭載されている。
【００２６】
ＯＣＸＯ１は、ピン及び半田によってペルチェ素子温度制御回路基板４に固定されている。
ペルチェ素子温度制御回路基板４は、当該基板４に半田５によって固定されたピン８によって、外ケース６を密封する蓋７に固定されている。
【００２７】
ＯＣＸＯ１は、密閉された恒温槽（オーブン）に相当する内ケース２を備え、内ケース２の内部に、一般のＯＣＸＯと同様に、水晶振動子、発振回路、発熱体、温度センサ、温度制御回路等が設けられている。
本発振器の特徴として、ＯＣＸＯ１の水晶振動子は、ＺＴＣ温度が４５℃〜５５℃の特性を備えたものとしている。つまり、本発振器では、ＺＴＣ温度が従来に比べて約３５℃低い水晶振動子を搭載しており、ヒートサイクルの温度差を低減して、半田クラックの発生を防ぐものである。ＯＣＸＯ１の水晶振動子の特性については後述する。
そして、本発振器では、ＯＣＸＯ１の温度制御回路は、内ケース２（恒温槽）内の温度が水晶振動子のＺＴＣ温度付近となるよう発熱体を制御する。
【００２８】
ペルチェ素子３は、２つの異種金属（又は半導体）を電気的に直列に接続して電流を流すと接合部分に吸熱及び発熱が発生する現象を利用した素子であり、発熱量又は吸熱量は電流に比例し、電流の向きを逆にすると熱の発生と吸熱が逆になるものである。
本発振器のペルチェ素子３は、ＯＣＸＯ１とペルチェ素子温度制御回路基板４との間に密着して設けられており、ペルチェ素子温度制御回路基板４側を冷却する場合には、ＯＣＸＯ１側に熱を放出して、ＯＣＸＯ１を効率的に加熱できるものである。
【００２９】
ペルチェ素子温度制御回路基板４は、ペルチェ素子制御回路を搭載する基板である。
ペルチェ素子制御回路は、ペルチェ素子３を流れる電流を制御することにより、ペルチェ素子３の吸熱又は発熱を制御して、外ケース６内を特定の温度範囲となるよう制御するものである。
【００３０】
本発振器の特徴として、ペルチェ素子制御回路は、外ケース６内部の温度を水晶振動子のＺＴＣ温度より１０℃以上低い温度に制御する。このように外ケース６の内部の温度をＯＣＸＯ１の恒温槽より１０℃以上低くすることにより、ＯＣＸＯ１における恒温槽の温度制御を安定して精度良く行うことができるものである。尚、外ケース６内部の温度は、通常、ＺＴＣ温度より２５℃以上低くすることはない。
【００３１】
例えば、ＯＣＸＯ１の水晶振動子のＺＴＣ温度が５０℃であれば、ペルチェ素子制御回路は外ケース６内部の温度を３０℃程度（３０℃±α℃）となるよう、ペルチェ素子３の電流の大きさや向きを制御する。温度範囲の幅（αの値）は、発振器の用途や要求される特性等に応じて適宜設定され、例えば、１〜２℃とする。
【００３２】
更に、外ケース６内の空間を真空若しくは真空に近い状態としてもよく、これにより、外ケース６の外部環境温度の影響をＯＣＸＯ１に一層伝えにくくして、温度周波数特性を更に良好にすることができるものである。
【００３３】
［ペルチェ素子制御回路：図２］
ここで、ペルチェ素子制御回路について図２を用いて説明する。図２は、ペルチェ素子温度制御回路基板４に搭載されたペルチェ素子制御回路の模式説明図である。
図２に示すように、ペルチェ素子制御回路は、ペルチェ素子温度制御回路基板４上に搭載され、温度センサ４１と、制御部４２とを備えている。
ペルチェ素子３は、ペルチェ素子温度制御回路基板４及びＯＣＸＯ１と熱的に結合している。
【００３４】
温度センサ４１は、周囲の温度を検出して、温度データを制御部４２に出力する。尚、温度センサ４１を搭載する場所は、ペルチェ素子３の発熱／吸熱の影響を直接受ける場所ではなく、できるだけ外ケース６内の空間温度を正確にモニタできる場所が望ましい。
【００３５】
制御部４２は、マイコン等で構成され、ペルチェ素子３を流れる電流を制御して、外ケース６内が所望の温度範囲となるようペルチェ素子３のペルチェ素子温度制御回路基板４側を加熱又は冷却する。
すなわち、制御部４２は、予め設定された設定温度範囲と、温度センサ４１から入力された温度データに基づいて、ペルチェ素子３を流れる電流の方向及び大きさを制御するものである。例えば、制御部４２は、電流の向きを切り替えるスイッチや配線上の抵抗値を制御することにより、電流を制御する。
【００３６】
そして、例えば、制御部４２は、入力される温度データに対応するスイッチや抵抗値の制御データを設定温度範囲に応じて予め記憶しておき、入力された温度データに対応する制御データに基づいて電流を制御する。
具体的には、温度データが、設定された温度範囲の下限よりも低い場合（又は下限以下の場合）には、制御部４２は、ペルチェ素子３のペルチェ素子温度制御回路基板４側を加熱するようにペルチェ素子３の電流を制御し、温度範囲の上限よりも高い場合（又は上限以上の場合）には、制御部４２は、ペルチェ素子温度制御回路基板４側を冷却するように制御する。
【００３７】
尚、構成を単純にしたい場合には、制御部４２は、単に、温度データが温度範囲の上限よりも高い場合に、ペルチェ素子温度制御回路基板４側を冷却するように制御するようにしてもよい。ＯＣＸＯ１の周囲の温度が高くなって、ＯＣＸＯ１の温度制御が不安定になるのを防ぐことができるものである。
【００３８】
設定温度範囲は、上述したように、ＯＣＸＯ１の水晶振動子のＺＴＣ温度よりも１０℃以上低い温度であり、制御部４２に予め設定される。
尚、温度センサ４１はペルチェ素子温度制御回路基板４上に設けられているため、外ケース６内部の温度を正確に検出しない場合もある。そのため、予め実験的に外ケース６内の空間の温度と温度センサ４１の温度データとの相関（補正値）を求めておき、温度データを補正した値を電流制御に用いることも可能である。
【００３９】
［ＡＴカット水晶振動子の温度特性例：図３］
ここで、ＯＣＸＯ１の水晶振動子に用いられるＡＴカット水晶振動子の温度特性について図３を用いて説明する。図３は、ＡＴカット水晶振動子の温度特性例を示す説明図である。
図３において点線で示した特性は、従来の発振器で用いられる水晶振動子のものであり、ＺＴＣ温度は８０℃〜９０℃である。３本の特性は、それぞれ、ＺＴＣ温度が８０℃、８５℃、９０℃の水晶振動子の特性を表している。
上述したように、従来は、使用環境温度（例えば−２０℃〜７０℃）の上限よりもＺＴＣ温度が高い水晶振動子を用い、恒温槽によってＺＴＣ温度となるよう温度制御を行っていた。
【００４０】
本発振器のＯＣＸＯ１に用いられる水晶振動子は、図３において実線で示される特性であり、ＺＴＣ温度は４５℃〜５５℃である。３本の特性は、それぞれ、ＺＴＣ温度が４５℃、５０℃、５５℃の水晶振動子の特性を表している。
本発振器で用いられるＺＴＣ温度が４５℃〜５５℃の水晶振動子の特性は、ＺＴＣ温度が８０℃〜９０℃の水晶振動子の特性に比べて、周波数変化が緩やかになっており、恒温槽を同じ温度幅で制御した場合には、従来よりも良好な周波数温度特性が得られるものである。
【００４１】
そして、ＺＴＣ温度が従来に比べて約３５℃低い水晶振動子を用いることにより、電源のオン／オフに伴う温度差を小さくすることができ、ヒートサイクルによる熱応力を緩和して、半田５にクラックが生じるまでの時間を長くして、発振器の寿命を長くでき、長期信頼性を向上できるものである。
【００４２】
例えば、使用環境温度が−２０℃の場合、ＺＴＣ温度が９０℃の水晶振動子を用いた場合、温度差（ΔＴ）は１１０℃であるが、ＺＴＣ温度が５０℃の水晶振動子を用いると、ΔＴ＝７０℃となり、ヒートサイクルが加わる温度幅を約３６％削減できるものである。
【００４３】
更に、本発振器では、ペルチェ素子３及びペルチェ素子制御回路を備えることにより、水晶振動子のＺＴＣ温度に応じて、ＯＣＸＯ１の周囲環境となる外ケース６の内部の温度を、ＯＣＸＯ１において安定した恒温槽制御を行うことができる温度範囲（ＺＴＣ温度より１０℃〜２０℃低い温度範囲）に加熱又は冷却して制御することで、出力周波数を一層安定させることができるものである。
【００４４】
［ペルチェ素子制御回路の処理：図４］
次に、ペルチェ素子制御回路の制御部４２の処理について図４を用いて説明する。図４は、ペルチェ素子制御回路の制御部の処理を示すフローチャートである。
図４に示すように、ペルチェ素子制御回路の制御部４２は、外ケース６内部の温度範囲が設定されると、記憶しておく（１００）。ここでは、設定された温度範囲をＴ１（℃）以上Ｔ２（℃）未満としており（Ｔ１≦ｔ＜Ｔ２，ｔは検出温度）、ＯＣＸＯ１に用いられる水晶振動子のＺＴＣ温度より１０℃以上低い温度範囲である。
例えば、ＺＴＣ温度が５０℃、制御温度幅（α）が１℃の場合には、ケース内の温度範囲は５０±１℃で４９℃以上５１℃未満となる。
【００４５】
そして、制御部４２は、温度センサ４１から検出温度データ（ｔ）が入力されると（１０２）、検出温度データを設定された温度範囲と比較する（１０４）。
検出温度が温度範囲の下限値よりも低い場合（ｔ＜Ｔ１の場合）には、制御部４２は、ペルチェ素子温度制御回路基板４側を加熱するよう、ペルチェ素子３の電流を制御し、処理１０２に移行する。このとき、検出温度データ（ｔ）と設定温度範囲の下限値（Ｔ１）との差に応じて電流の大きさを制御してもよい。差が大きい場合には、発熱量を大きくするよう、電流値を大きくする。
【００４６】
また、処理１０４で検出温度データが温度範囲内であれば（Ｔ１≦ｔ＜Ｔ２の場合）、制御部４２は、そのまま処理１０２に移行する。
また、処理１０４で、検出温度データが温度範囲の上限値以上であれば（ｔ≧Ｔ２の場合）、制御部４２は、ペルチェ素子温度制御回路基板４側を冷却するようペルチェ素子３の電流を制御する。ここでも、検出温度データ（ｔ）と設定温度範囲の上限値（Ｔ２）との差に応じて電流の大きさを制御してもよい。差が大きい場合には、吸熱量を大きくするよう、発熱の場合とは逆向きの電流値を大きくする。
このようにしてペルチェ素子制御回路の制御部４２における処理が行われるものである。
【００４７】
［実施の形態の効果］
本発明の実施の形態に係る発振器によれば、密閉された外ケース６内に、ＺＴＣ温度が４５℃〜５５℃の水晶振動を搭載したＯＣＸＯ１と、外ケース６内を加熱又は冷却するペルチェ素子３と、ペルチェ素子３の動作を制御するペルチェ素子制御回路を搭載したペルチェ素子温度制御回路基板４とを備え、ペルチェ素子がＯＣＸＯ１とペルチェ素子温度制御回路基板４との間に密着して挟まれて搭載され、ＯＣＸＯ１が恒温槽の温度を水晶振動子のＺＴＣ温度に制御すると共に、ペルチェ素子制御回路が、ケース内の温度を２５℃〜３５℃で当該水晶振動子のＺＴＣ温度より１０℃以上低い温度とするようペルチェ素子３を流れる電流を制御する発振器としているので、ヒートサイクルによって加わる温度変化の幅を低減して、半田５にクラックが生じにくくし、長期信頼性を向上させることができると共に、ＯＣＸＯ１の周囲に相当する外ケース６内の温度を、ＯＣＸＯ１の恒温槽の目標温度であるＺＴＣ温度より１０℃以上低くなるようペルチェ素子３で加熱又は冷却して制御することにより、ＯＣＸＯ１の温度制御を効率的且つ精度良く行うことができるようにして、出力周波数を安定させることができる効果がある。
【００４８】
また、本発振器によれば、従来に比べて低温で動作するため、発振器からの放熱量を少なくすることができ、温度上昇が問題となってしまうデバイスや装置にも適用可能として発振器の用途を拡大することができる効果がある。
【００４９】
更に、本発振器によれば、外ケース６内を真空又は真空に近い状態にしているので、外部環境温度のＯＣＸＯ１に対する影響を一層小さくすることができ、更に出力周波数を安定させることができる効果がある。
【００５０】
また、本発振器によれば、ペルチェ素子制御回路の制御部４２が、検出された温度に対応付けて、外ケース６内を設定された温度範囲とするよう電流を制御する制御データを記憶しておき、入力された温度データに応じた制御データに従って制御を行うようにしているので、水晶振動子のＺＴＣ温度に応じて、外ケース６内の温度範囲と検出温度と制御データの組み合わせを設定して記憶しておけば、上記実施の形態と同様の構成及び動作により高安定な発振器を実現でき、ＺＴＣ温度の異なる種々の水晶振動子を搭載可能として、用途や目的に応じた発振器を提供することができる効果がある。
【産業上の利用可能性】
【００５１】
本発明は、特にヒートサイクル耐性を向上させると共に良好な周波数温度特性が得られる発振器に適している。
【符号の説明】
【００５２】
１...ＯＣＸＯ、  ２...内カバー、  ３...ペルチェ素子、  ４...ペルチェ素子温度制御回路基板、  ５...半田、  ６...外カバー、  ７...蓋、  ８...ピン
【図１】
0005717497.tif 000002
【図２】
0005717497.tif 000003
【図３】
0005717497.tif 000004
【図４】
0005717497.tif 000005